(57)【要約】【課題】切刃部を安定的に固定できるとともに、簡素な構成を有する切削工具を提供する。【解決手段】軸線を中心とした環状をなす外周面、及び、外周面から径方向内側に凹むとともに周方向に間隔をあけて形成された複数の取付穴４を有する工具本体１と、工具本体１よりも線膨張係数の大きい材料から形成されて、各取付穴４内にそれぞれ隙間嵌めされたインサート３と、工具本体１の外周面から径方向外側に突出するように、各インサート３における径方向外側の端部にそれぞれ固定された切刃部２と、を備え、インサート３は、切刃部２から伝達される切削熱によって膨張することで取付穴４の内周面に締まり嵌めされる。【選択図】図２
2019030914.tif 000002
【特許請求の範囲】
【請求項１】
軸線を中心とした環状をなす外周面、及び、該外周面から径方向内側に凹むとともに周方向に間隔をあけて形成された複数の取付穴を有する工具本体と、
該工具本体よりも線膨張係数の大きい材料から形成されて、各前記取付穴内にそれぞれ隙間嵌めされたインサートと、
前記工具本体の外周面から径方向外側に突出するように、各前記インサートにおける径方向外側の端部にそれぞれ固定された切刃部と、
を備え、                                         
前記インサートは、前記切刃部から伝達される切削熱によって膨張することで前記取付穴の内周面に締まり嵌めされる切削工具。
【請求項２】
前記インサートの径方向内側の端部には、径方向外側に凹没する第一凹部が形成され、
前記取付穴の径方向内側の端部には、前記第一凹部に締まり嵌めされた第一凸部が設けられている請求項１に記載の切削工具。
【請求項３】
前記工具本体は、前記取付穴における前記第一凸部に対して、外周側に間隔をあけて設けられた第一位置決め部を有し、
前記第一位置決め部は、前記インサートが前記切刃部から伝達される切削熱によって膨張した状態で、前記インサートの外周面に締まり嵌めされる請求項２に記載の切削工具。
【請求項４】
前記インサートの径方向外側の端部には、径方向内側に凹む第二凹部が形成され、
前記切刃部の径方向内側の端部には、前記第二凹部に締まり嵌めされた第二凸部が設けられている請求項１又は２に記載の切削工具。
【請求項５】
前記切刃部における前記第二凸部に対して、外周側に間隔をあけて設けられた第二位置決め部を有し、
前記第二位置決め部は、前記インサートが前記切刃部から伝達される切削熱によって膨張した状態で、前記インサートの外周面に締まり嵌めされる請求項４に記載の切削工具。
【請求項６】
前記インサートは、径方向内側に位置するインサート本体と、該インサート本体の径方向外側の端部に設けられるとともに、径方向外側の端部が切刃部の内部まで延びている延長部と、を有し、
前記切刃部には前記延長部が挿入される挿入凹部が形成されている請求項１から５のいずれか一項に記載の切削工具。
【請求項７】
前記切刃部を、前記工具本体に対して固定する固定ピンをさらに備える請求項１から６のいずれか一項に記載の切削工具。
【発明の詳細な説明】
【技術分野】
【０００１】
本発明は、切削工具に関する。
【背景技術】
【０００２】
機械要素の一種として、遊星ギア等に用いられる円筒ギア（又は内歯車）と呼ばれるものが知られている。円筒ギアは、円筒状をなす部材の内周面に複数のギア歯を形成することで得られる。円筒ギアを製作するに当たっては、近年スカイビング加工が主として用いられている。スカイビング加工とは、複数の切刃を有する歯車型の切削工具を、円筒状のワークの内周面に対して相対回転させることで、当該内周面に歯切りを行う加工法である。
このような切削工具の具体例として、下記特許文献１、及び下記特許文献２に記載されたものが知られている。特許文献１に記載された切削工具は、円盤状のカッタヘッドの外周面に、複数の切刃を周方向に配列することで形成されている。特許文献２は、これらの切刃を、従来のばねや油圧を用いる構成に代えて、工具本体に対してクランプによってそれぞれ固定する固定構造を提案している。
【先行技術文献】
【特許文献】
【０００３】
【特許文献１】特表２０１６−５１６６０２号公報
【特許文献２】特表２０１６−５１６６０３号公報
【発明の概要】
【発明が解決しようとする課題】
【０００４】
しかしながら、上記特許文献２に記載された構成では、切刃の固定に要するスペースを小さくできる一方で以下の欠点がある。即ち、切削時に切刃とワークとの間で生じる摩擦熱（切削熱）によって、切刃及びカッタヘッドがともに熱膨張するため、結果としてこれら切刃とカッタヘッドとの間の隙間が大きくなったり、不均一になったりする。そのため、当該切刃にがたつきや脱落を生じる可能性がある。さらに、切刃を適宜冷却するための装置も必要となることから、工具全体の構成が大掛かりになってしまう。
【０００５】
本発明は上記課題を解決するためになされたものであって、構造の複雑化を避けながら切刃部を安定的に固定できる切削工具を提供することを目的とする。
【課題を解決するための手段】
【０００６】
本発明の第一の態様によれば、切削工具は、軸線を中心とした環状をなす外周面、及び、該外周面から径方向内側に凹むとともに周方向に間隔をあけて形成された複数の取付穴を有する工具本体と、該工具本体よりも線膨張係数の大きい材料から形成されて、各前記取付穴内にそれぞれ隙間嵌めされたインサートと、前記工具本体の外周面から径方向外側に突出するように、各前記インサートにおける径方向外側の端部にそれぞれ固定された切刃部と、を備え、        前記インサートは、前記切刃部から伝達される切削熱によって膨張することで前記取付穴の内周面に締まり嵌めされる。
【０００７】
この構成によれば、インサートの線膨張係数が、工具本体の線膨張係数よりも大きいため、インサートの膨張量が工具本体の膨張量を上回ることになる。したがって、加工時に切刃部から伝達された切削熱によってインサートが膨張することで、当該インサートが工具本体の取付穴の内周面に対して締まり嵌めされる。これにより、切刃部及びインサートを工具本体に対して強固かつ安定的に固定することができる。さらに、切削熱が切刃部及びインサートの固定に積極的に利用されることから、この切削熱を除去するための冷却構造を別途設ける必要がない。これにより、装置を簡素化することも可能となる。
【０００８】
本発明の第二の態様によれば、切削工具では、前記インサートの径方向内側の端部には、径方向外側に凹没する第一凹部が形成され、前記第一凹部に締まり嵌めされた第一凸部が設けられていてもよい。
【０００９】
この構成によれば、切削を行っていない状態、即ち冷間時であっても、インサートの第一凹部が、取付穴に設けられた第一凸部に対して締まり嵌めされた状態となる。即ち、冷間時であっても、インサートを取付穴に対して安定的に固定することができる。
【００１０】
本発明の第三の態様によれば、前記工具本体は、前記取付穴における前記第一凸部に対して、外周側に間隔をあけて設けられた第一位置決め部を有し、前記第一位置決め部は、前記インサートが前記切刃部から伝達される切削熱によって膨張した状態で、前記インサートの外周面に締まり嵌めされてもよい。
【００１１】
この構成によれば、切削を行っている状態、即ち入熱時に、第一位置決め部の内周面が、切削熱によって膨張したインサートの外周面に対して締まり嵌めされる。これにより、インサートを工具本体に対して安定的に固定することができるとともに、膨張時におけるインサート及び切刃部の位置決めを精緻に行うことができる。言い換えると、膨張時におけるインサート及び切刃部の配列（アラインメント）のずれを抑制することができる。
【００１２】
本発明の第四の態様によれば、前記インサートの径方向外側の端部には、径方向内側に凹没する第二凹部が形成され、前記切刃部の径方向内側の端部には、前記第二凹部に締まり嵌めされた第二凸部が設けられていてもよい。
【００１３】
この構成によれば、切削を行っていない状態、即ち冷間時であっても、インサートの第二凹部が、切刃部に設けられた第二凸部に対して締まり嵌めされる。即ち、冷間時であっても、切刃部をインサートに対して安定的に固定することができる。
【００１４】
本発明の第五の態様によれば、前記切刃部における前記第二凸部に対して、外周側に間隔をあけて設けられた第二位置決め部を有し、前記第二位置決め部は、前記インサートが前記切刃部から伝達される切削熱によって膨張した状態で、前記インサートの外周面に締まり嵌めされてもよい。
【００１５】
この構成によれば、切削を行っている状態、即ち入熱時に、第二位置決め部の内周面が、切削熱によって膨張したインサートの外周面に対して締まり嵌めされる。これにより、切刃部をインサートに対して安定的に固定することができるとともに、膨張時におけるインサート及び切刃部の位置決めを精緻に行うことができる。言い換えると、膨張時におけるインサート及び切刃部の配列（アラインメント）のずれを抑制することができる。
【００１６】
本発明の第六の態様によれば、前記インサートは、径方向内側に位置するインサート本体と、該インサート本体の径方向外側の端部に設けられるとともに、径方向外側の端部が切刃部の内部まで延びている延長部と、を有し、前記切刃部には前記延長部が挿入される挿入凹部が形成されていてもよい。
【００１７】
この構成によれば、切刃部の挿入凹部内に、インサートの延長部が挿入された状態となる。これにより、切刃部で生じた切削熱をより効率的に延長部（インサート）に伝えることができる。即ち、インサートを十分に膨張させることができるため、当該インサートを工具本体に対してより安定的に固定することができる。
【００１８】
本発明の第七の態様によれば、切削工具は、前記切刃部を、前記工具本体に対して固定する固定ピンをさらに備えてもよい。
【００１９】
この構成によれば、冷間時であっても、切刃部をより安定的に固定することができる。
【発明の効果】
【００２０】
本発明の切削工具によれば、構造の複雑化を避けながら切刃部を安定的に固定することができる。
【図面の簡単な説明】
【００２１】
【図１】本発明の第一実施形態に係る切削工具の構成を示す全体図である。
【図２】本発明の第一実施形態に係る切削工具の構成を示す断面図であって、切削加工を行っていない状態を示す図である。
【図３】本発明の第一実施形態に係る切削工具の構成を示す断面図であって、切削加工を行っている状態を示す図である。
【図４】本発明の第二実施形態に係る切削工具の構成を示す断面図であって、切削加工を行っていない状態を示す図である。
【図５】本発明の第二実施形態に係る切削工具の構成を示す断面図であって、切削加工を行っている状態を示す図である。
【図６】本発明の第二実施形態に係る切削工具の変形例を示す断面図である。
【図７】本発明の第三実施形態に係る切削工具の構成を示す断面図である。
【図８】本発明の第四実施形態に係る切削工具の構成を示す断面図である。
【発明を実施するための形態】
【００２２】
［第一実施形態］
以下、図面を参照して、本発明の第一実施形態について説明する。
図１に示すように、本実施形態に係る切削工具１は、被加工物である円筒状のワークＷの内周面に、複数のギア歯Ｇを形成するための工具である。具体的には、切削工具１は、軸線Ａ１を中心とする円盤状の工具本体１と、当該工具本体１の外周面上で周方向に間隔をあけて配列された複数の切刃部２と、当該切刃部２を工具本体１に対して支持固定するインサート３（図２、図３参照）と、を備えている。なお、図２、図３は、軸線Ａ１を含む平面における切削工具１の断面図である。
【００２３】
工具本体１は、軸線Ａ１を中心とした円周曲面状（環状）の外周面を有している。この外周面には、軸線Ａ１の周方向に等間隔をあけて複数の取付穴４が形成されている。それぞれの取付穴４は、軸線Ａ１の径方向に延びており、その径方向外側の端部は、上記外周面上に開口している。
なお、本実施形態における取付穴４の断面形状は円形であるが、設計や仕様に応じて、この断面形状を矩形や他の多角形とすることも可能である。これら取付穴４の深さ（径方向における寸法）は、後述するインサート３の径方向における寸法とおおむね同等か、わずかに大きな寸法に設定されている。この工具本体１は、外部の駆動源（不図示）によって、軸線Ａ１回りに回転駆動される。工具本体１は、工具鋼によって一体に形成されている。
【００２４】
切刃部２は、上記の取付穴４に挿入された棒状のインサート３によって支持固定されることで、工具本体１の外周面よりも径方向外側に突出している。切刃部２の外周側の端面は、ワークＷの内周面と当接することでこれを切削できるように、刃が設けられている。それぞれの切刃部２は、工具鋼によって一体に形成されている。即ち、切刃部２は、ワークＷに対して切削加工を施すに十分な強度、硬度、耐摩耗性等の各種特性を備えている。なお、切刃部２の具体的な寸法や形状は、所望される円筒ギアのギア歯Ｇの寸法や形状に準じて適宜決定される。さらに、切刃部２は、工具本体１と同様に、工具鋼によって一体に形成されている。
【００２５】
インサート３は、軸線Ａ１の径方向に延びる棒状をなしている。インサート３の径方向外側の端部には、上記の切刃部２が支持固定されている。詳しくは図示しないが、本実施形態では、切刃部２は、インサート３に対してボルトやピン、溶接等によって固定されている。インサート３の断面形状は、上述の取付穴４の断面形状に対応している。即ち、本実施形態では、取付穴４が円形断面を有していることから、インサート３も円形断面を有している。切削加工を行っていない状態（即ち、冷間時）では、インサート３の径寸法は、取付穴４の内径寸法よりも小さく設定されている。言い換えると、冷間時には、インサート３は取付穴４に対して隙間嵌めされた状態となっている。
【００２６】
インサート３は、工具本体１よりも大きな線膨張係数を有する材料によって一体に形成されている。具体的には、工具本体１を構成する工具鋼の線膨張係数が１１．１であることから、インサート３は、これよりも大きな線膨張係数を有するアルミニウム（線膨張係数：２３）、ＳＵＳ３０４（線膨張係数：１７．３）、銅（線膨張係数：１６．８）や、ニッケル（線膨張係数：１２．８）等の中から適宜選択された材料によって形成されている。詳しくは後述するが、インサート３がこのような材料によって形成されていることから、切削加工を行っていない状態（冷間時）では、上述のように取付穴４に対して隙間嵌めされた状態となっている。
【００２７】
一方で、切削加工を行っている状態では、切刃部２とワークＷとの間で生じた摩擦熱（切削熱）がインサート３に伝達されることで、当該インサート３は、工具本体１よりも大きく熱膨張する。その結果、インサート３の外周面は、工具本体１の取付穴４の内周面に対して当接し、最終的には締まり嵌めされた状態となる。なお、インサート３の外周面は全域にわたって取付穴４の内周面に当接してもよいし、部分的に当接してもよい。これにより、インサート３は内周側に向かってわずかに弾性変形した状態で取付穴４内に固定された状態となる。
【００２８】
インサート３と取付穴４との相対的な形状は、冷間時（外部から切削熱が供給されていない時）は隙間嵌めとなり、切削熱が供給されている時は締まり嵌めとなるように設定されている。このようなインサート３及び取付穴４の相対的な形状は、インサート３及び工具本体１の熱膨張係数を把握した上で、インサート３に供給される切削熱をシミュレーションにより解析することで容易に設定することができる。
【００２９】
なお、インサート３を構成する材料の選定（線膨張係数の決定）は、切削工具１の製作に先立って行われる数値シミュレーションによって得られた切削反力の値と、切刃部２に作用する遠心力の値とに基づいて適宜行われる。
【００３０】
続いて、本実施形態に係る切削工具１の動作について説明する。切削工具１は、図示しない駆動源から供給される駆動力によって、軸線Ａ１回りに回転駆動される。即ち、切削工具１は、ワークＷの内周面に対して相対速度を持ってワーク軸線Ａｗ回りに回転する。本実施形態では、ワーク軸線Ａｗは、軸線Ａ１に略平行である。（なお、ワーク軸線Ａｗが、軸線Ａ１に対して直交しない角度で交差していてもよい。）ワークＷの内周面に当接する一部の切刃部２は、当該内周面に対して歯切り加工を施す。このような加工をワークＷの内周面の全域にわたって施すことで、所望の形状の円筒ギアを得ることができる。
【００３１】
ここで、複数の切刃部２のうち、回転中にワークＷの内周面に接触している一部の切刃部２に対しては、ワークＷとの間で生じる切削熱が伝達される。この切削熱は、当該切刃部２に一体に接続されたインサート３にも伝達される。上述のように、インサート３は、切刃部２及び工具本体１を構成する工具鋼よりも大きな線膨張係数を有する材料によって形成されていることから、これら切刃部２、及び工具本体１よりも大きな熱膨張を生じる。その結果、インサート３の外周面は、工具本体１の取付穴４の内周面に対して全域にわたって当接し、最終的には締まり嵌めされた状態となる。より具体的には、インサート３は内周側に向かってわずかに弾性変形した状態で取付穴４内に固定された状態となる。
【００３２】
以上、説明したように、上述の構成によれば、インサート３の線膨張係数が、工具本体１の線膨張係数よりも大きいため、インサート３の膨張量が工具本体１の膨張量を上回ることになる。したがって、加工時に切刃部２から伝達された切削熱によってインサート３が膨張することで、当該インサート３が工具本体１の取付穴４の内周面に対して締まり嵌めされる。これにより、切刃部２及びインサート３を工具本体１に対して強固かつ安定的に固定することができる。即ち、インサート３、及び切刃部２のがたつきや脱落の可能性を低減することができる。さらに、切削熱が切刃部２及びインサート３の固定に積極的に利用されることから、この切削熱を除去するための冷却構造を別途設ける必要がない。これにより、装置を簡素化することが可能となる。
【００３３】
本発明の第一実施形態について図面を参照して説明した。なお、上記の構成は一例であり、これに種々の変更や改良を施すことが可能である。例えば、上記第一実施形態では、冷間時におけるインサート３は、工具本体１の取付穴４に対して隙間嵌めされている構成を例に説明した。しかしながら、冷間時におけるインサート３の固定方法は隙間嵌めに限定されず、中間嵌めであってもよい。この構成によれば、冷間時であってインサート３、及び切刃部２を工具本体１に対して、より安定的かつ強固に固定することができる。即ち、インサート３、及び切刃部２のがたつきや脱落の可能性をさらに低減することができる。
【００３４】
［第二実施形態］
次に、本発明の第二実施形態について、図４、図５を参照して説明する。なお、上記第一実施形態と同様の構成については同一の符号を付し、詳細な説明を省略する。図４に示すように、本実施形態では、工具本体１の取付穴４内に、第一凸部５、及び第一位置決め部６が設けられている。
【００３５】
第一凸部５は、取付穴４の径方向内側の端面上（即ち、取付穴４の底面上）に設けられた円形の突起である。より具体的には、第一凸部５は、取付穴４の底面から、径方向外側に向かって突出している。径方向から見た場合、第一凸部５は、上記底面の中心を軸とする円形をなしている。
【００３６】
第一位置決め部６は、取付穴４の径方向内側の端面上（即ち、取付穴４の底面上）に設けられたリング状の突起である。第一位置決め部６は、上記の第一凸部５を外周側から囲むようにして設けられている。より具体的には、第一位置決め部６は、取付穴４の底面から、径方向外側に向かって突出している。径方向から見た場合、第一位置決め部６は、上記底面の中心を軸とするリング状をなしている。即ち、第一位置決め部６と第一凸部５とは、同一の軸を有している。さらに、第一位置決め部６と第一凸部５とは、同一の突出寸法（径方向寸法）を有している。第一位置決め部６の外周面と、取付穴４の内周面との間には、径方向に広がる隙間が形成されている。
【００３７】
インサート３の径方向内側の端面には、第一凹部７が形成されている。第一凹部７は、インサート３の径方向内側の端面から、径方向外側に向かって円形に凹没している。円形をなす第一凹部７の中心は、インサート３の中心軸（即ち、軸線Ａ１の径方向）と一致している。さらに、第一凹部７の深さ（径方向における寸法）は、上述の第一凸部５、及び第一位置決め部６の突出寸法と同一か、わずかに小さく設定されている。
【００３８】
第一凹部７よりも外周側の部分、即ちインサート３の径方向内側の端部における外周面は、他の部分に比べて小径となる第一小径部８とされている。冷間時において、第一小径部８の外周面は、上述の第一位置決め部６に対して径方向に隙間をあけた状態で対向している。第一小径部８の径方向における寸法は、上記の第一凹部７の径方向における寸法とおおむね同一である。
【００３９】
切削加工を行っていない状態（冷間時）では、第一凹部７の内径寸法は、上述の第一凸部５の外径寸法と同一かわずかに小さく設定されている。即ち、冷間時には、工具本体１の第一凸部５は、インサート３の第一凹部７に対して締まり嵌めされた状態となっている。
【００４０】
さらに、本実施形態では、切刃部２とインサート３との接続部分にも、上記と同様の構成が用いられている。より具体的には、切刃部２の径方向内側の端面には、第二凸部９、及び第二一意決め部が設けられている。
【００４１】
第二凸部９は、切刃部２の径方向内側の端面上に設けられた円形の突起である。より具体的には、第二凸部９は、切刃部２の端面から、径方向内側に向かって突出している。
【００４２】
第二位置決め部１０は、切刃部２の径方向内側の端面上に設けられたリング状の突起である。第二位置決め部１０は、上記の第二凸部９を外周側から囲むようにして設けられている。より具体的には、第二位置決め部１０は、切刃部２の端面から、径方向内側に向かって突出している。第二位置決め部１０と第二凸部９とは、同一の軸を有している。さらに、第二位置決め部１０と第二凸部９とは、同一の突出寸法（径方向寸法）を有している。第二位置決め部１０の外周面と、取付穴４の内周面との間には、径方向に広がる隙間が形成されている。
【００４３】
インサート３の径方向外側の端面には、第二凹部１１が形成されている。第二凹部１１は、インサート３の径方向外側の端面から、径方向内側に向かって円形に凹没している。円形をなす第二凹部１１の中心は、インサート３の中心軸と一致している。さらに、第二凹部１１の深さ（径方向における寸法）は、上述の第二凸部９、及び第二位置決め部１０の突出寸法と同一か、わずかに小さく設定されている。
【００４４】
第二凹部１１よりも外周側の部分、即ちインサート３の径方向内側の端部における外周面は、他の部分に比べて小径となる第二小径部１２とされている。冷間時において、第二小径部１２の外周面は、上述の第二位置決め部１０に対して径方向に隙間をあけた状態で対向している。第二小径部１２の径方向における寸法は、上記の第二凹部１１の径方向における寸法とおおむね同一である。
【００４５】
さらに、上記第一実施形態と同様に本実施形態においても、インサート３は、工具本体１及び切刃部２よりも線膨張係数の大きな材料によって一体に形成されている。
【００４６】
切削加工を行っていない状態（冷間時）では、第二凹部１１の内径寸法は、上述の第二凸部９の外径寸法と同一かわずかに小さく設定されている。即ち、冷間時には、切刃部２の第二凸部９は、インサート３の第二凹部１１に対して締まり嵌めされた状態となっている。
【００４７】
続いて、本実施形態に係る切削工具１の動作について説明する。切削加工を行っている状態では、切刃部２から伝達された切削熱によって、インサート３が熱膨張する。この時、図５に示すように、インサート３の外周面は、取付穴４の内周面に当接した後、最終的には当該内周面に対して締まり嵌めされた状態となる。
【００４８】
同時に、インサート３が膨張することで、当該インサート３に形成された上述の第一凹部７の内径寸法が増加する。これにより、第一凹部７と、工具本体１に設けられた第一凸部５との間の締まり嵌めが解除される。なおもインサート３が膨張を続けることで、インサート３の第一小径部８の外周面が、工具本体１に設けられた第一位置決め部６の内周面に当接する。最終的には、第一小径部８の外周面は、第一位置決め部６の内周面に対して締まり嵌めされた状態となる。
【００４９】
同様にして、インサート３が膨張することで、当該インサート３に形成された上述の第二凹部１１の内径寸法も増加する。これにより、第二凹部１１と、切刃部２に設けられた第二凸部９との間の締まり嵌めが解除される。なおもインサート３が膨張を続けることで、インサート３の第二小径部１２の外周面が、切刃部２に設けられた第二位置決め部１０の内周面に当接する。最終的には、第二小径部１２の外周面は、第二位置決め部１０の内周面に対して締まり嵌めされた状態となる。
【００５０】
以上、説明したように、上述の構成によれば、切削を行っていない状態、即ち冷間時であっても、インサート３の第一凹部７が、取付穴４に設けられた第一凸部５に対して締まり嵌めされる。即ち、冷間時であっても、インサート３を取付穴４に対して安定的に固定することができる。
【００５１】
さらに、上述の構成によれば、切削を行っている状態、即ち入熱時に、第一位置決め部６の内周面が、切削熱によって膨張したインサート３の外周面に対して締まり嵌めされる。これにより、インサート３を工具本体１に対して安定的に固定することができるとともに、膨張時におけるインサート３及び切刃部２の位置決めを精緻に行うことができる。言い換えると、膨張時におけるインサート３及び切刃部２の配列（アラインメント）のずれを抑制することができる。他方で、インサート３に第一位置決め部６を設けない場合、当該インサート３の端面に対して高精度な面出し加工が必要となる。しかしながら、上記構成では、第一位置決めを設けることにより、このような加工を行うことなく、高精度な切削工具１を得ることができる。
【００５２】
加えて、上述の構成によれば、切削を行っていない状態、即ち冷間時であっても、インサート３の第二凹部１１が、切刃部２に設けられた第二凸部９に対して締まり嵌めされる。即ち、冷間時であっても、切刃部２をインサート３に対して安定的に固定することができる。
【００５３】
さらに加えて、上述の構成によれば、切削を行っている状態、即ち入熱時に、第二位置決め部１０の内周面が、切削熱によって膨張したインサート３の外周面に対して締まり嵌めされる。これにより、切刃部２をインサート３に対して安定的に固定することができるとともに、膨張時におけるインサート３及び切刃部２の位置決めを精緻に行うことができる。言い換えると、膨張時におけるインサート３及び切刃部２の配列（アラインメント）のずれを抑制することができる。他方で、インサート３に第二位置決め部１０を設けない場合、当該インサート３の端面に対して高精度な面出し加工が必要となる。しかしながら、上記構成では、第二位置決めを設けることにより、このような加工を行うことなく、高精度な切削工具１を得ることができる。
【００５４】
以上、本発明の第二実施形態について説明した。なお、上記の構成は一例であり、これに種々の変更や改良を施すことが可能である。例えば、上記第二実施形態では、第一位置決め部６、及び第二位置決め部１０をそれぞれ工具本体１、切刃部２に設ける構成を例に説明した。しかしながら、図６に示すように、第一位置決め部６、及び第二位置決め部１０を設けない構成を採ることも可能である。このような構成によれば、各部材の構成を簡素化することができることから、加工に要するコストを削減することが可能となる。
【００５５】
［第三実施形態］
次に、本発明の第三実施形態について図７を参照して説明する。なお、上記の各実施形態と同様の構成については同一の符号を付し、詳細な説明を省略する。図７に示すように、本実施形態では、インサート３は、径方向内側の部分であるインサート本体３１と、インサート本体３１の径方向外側に位置するともに、切刃部２の内部に挿入される延長部３２と、を有している。
【００５６】
インサート本体３１は、円形断面を有する棒状をなしている。インサート本体３１は、冷間時において、工具本体１の取付穴４に対して隙間嵌めされている。言い換えると、インサート本体３１の外径寸法は、取付穴４の内径寸法よりもわずかに小さく設定されている。さらに、インサート本体３１の長さ寸法（軸線Ａ１の径方向における寸法）は、取付穴４の深さ寸法（軸線Ａ１の径方向における寸法）よりも、十分に小さく設定されている。
【００５７】
延長部３２は、インサート本体３１よりも小さな外径寸法を有している。延長部３２は、インサート本体３１に対して同一の材料によって当該インサート本体３１と一体に形成されている。さらに、延長部３２は、インサート本体３１と同軸の円形断面を有している。延長部３２の径方向外側の端部は、取付穴４の開口よりも径方向外側に位置している。即ち、本実施形態では、インサート３の長さ寸法は、取付穴４の深さ寸法よりも十分に大きく設定されている。
【００５８】
切刃部２の径方向内側の端面には、上記の延長部３２が挿入される挿入凹部２１が形成されている。挿入凹部２１の底面（径方向外側の面）は、切刃部２の刃に可能な限り近接する部分に位置している。挿入凹部２１よりも径方向内側には、延長部３２を外周側から覆うつば部２２が設けられている。つば部２２は、挿入凹部２１の開口端から、径方向内側に向かって延びる筒状をなしている。冷間時において、延長部３２は挿入凹部２１のつば部２２に対して隙間嵌めされた状態となっている。即ち、挿入凹部２１、及びつば部２２の内径寸法は、延長部３２の外径寸法よりもわずかに大きく設定されている。
【００５９】
さらに、上記各実施形態と同様に本実施形態においても、インサート３は、工具本体１及び切刃部２よりも線膨張係数の大きな材料によって一体に形成されている。
【００６０】
なお、インサート３の長さ寸法（軸線Ａ１の径方向における寸法）と、切刃部２の長さ寸法との比率、及び、インサート３の延長部３２の長さ寸法と、切刃部２のつば部２２の長さ寸法との比率、ならびにインサート３を構成する材料の選定（線膨張係数の決定）は、それぞれ切削工具１の製作に先立って行われる数値シミュレーションによって得られた切削反力の値と、切刃部２に作用する遠心力の値とに基づいて適宜行われる。
【００６１】
上述の構成によれば、切刃部２の挿入凹部２１内に、インサート３の延長部３２が挿入された状態となる。即ち、インサート３の一部である延長部３２が、切刃部２の刃に対して十分に近接した状態となる。これにより、切刃部２の刃で生じた切削熱をより効率的に延長部３２（インサート３）に伝えることができる。即ち、インサート３を十分に膨張させることができるため、当該インサート３を工具本体１に対してより安定的に固定することができる。
【００６２】
以上、本発明の第三実施形態について図面を参照して説明した。なお、上記の構成は一例であり、これに種々の変更や改良を施すことが可能である。例えば、第三実施形態に係る構成に、上述の第二実施形態で説明した、第一凸部５、第一位置決め部６、及び第二凸部９、第二位置決め部１０をインサート３に設け、第一凹部７を工具本体１に設け、さらに第二凹部１１を切刃部２にも受ける構成を採ることも可能である。
【００６３】
［第四実施形態］
次に、本発明の第四実施形態について、図８を参照して説明する。なお、上記の各実施形態と同様の構成については、同一の符号を付し、詳細な説明を省略する。本実施形態に係る切削工具１では、上記の第三実施形態と同様に、インサート３は、インサート本体３１と、延長部３２と、を有している。さらに、この切削工具１は、切刃部２のつば部２２、及び工具本体１に挿通される固定ピンＰを備えている。固定ピンＰは、軸線Ａ１の径方向に直交する方向に延びる棒状をなしている。即ち、固定ピンＰは、インサート３に対して直交する方向に延びている。つば部２２の一部には、この固定ピンＰが挿通される第一穴部Ｈ１が形成されている。同様に、工具本体１には、固定ピンＰが挿通される第二穴部Ｈ２が形成されている。第一穴部Ｈ１と第二穴部Ｈ２とは、互いに同軸で連通している。固定ピンＰは、第一穴部Ｈ１と第二穴部Ｈ２とにまたがるようにしてこれら穴部に挿通されている。なお、上記各実施形態と同様に本実施形態においても、インサート３は、工具本体１及び切刃部２よりも線膨張係数の大きな材料によって一体に形成されている。
【００６４】
上述の構成によれば、切刃部２の挿入凹部２１内に、インサート３の延長部３２が挿入された状態となる。即ち、インサート３の一部である延長部３２が、切刃部２に対して十分に近接した状態となる。これにより、切刃部２で生じた切削熱をより効率的に延長部３２（インサート３）に伝えることができる。即ち、インサート３を十分に膨張させることができるため、当該インサート３を工具本体１に対してより安定的に固定することができる。さらに上述の構成によれば、固定ピンＰによって、切刃部２が工具本体１に対して固定されるため、冷間時であっても、当該切刃部２をより安定的に固定することができる。
【００６５】
以上、本発明の第四実施形態について図面を参照して説明した。なお、上記の構成は一例であり、これに種々の変更や改良を施すことが可能である。例えば、上記第四実施形態では、固定ピンＰが１つのみ設けられる構成について説明した。しかしながら、固定ピンＰの個数は１つのみに限定されず、２つ、又は３つ以上であってもよい。
【符号の説明】
【００６６】
１００…切削工具
１…工具本体
２…切刃部
３…インサート
４…取付穴
５…第一凸部
６…第一位置決め部
７…第一凹部
８…第一小径部
９…第二凸部
１０…第二位置決め部
１１…第二凹部
１２…第二小径部
２１…挿入凹部
２２…つば部
３１…インサート本体
３２…延長部
Ａ１…軸線
Ａｗ…ワーク軸線
Ｇ…ギア歯
Ｈ１…第一穴部
Ｈ２…第二穴部
Ｐ…固定ピン
Ｗ…ワーク
【図１】
2019030914.tif 000003
【図２】
2019030914.tif 000004
【図３】
2019030914.tif 000005
【図４】
2019030914.tif 000006
【図５】
2019030914.tif 000007
【図６】
2019030914.tif 000008
【図７】
2019030914.tif 000009
【図８】
2019030914.tif 000010